(57)【要約】【課題】導通検査の検出精度を所望の精度で行うことのできる導通検査装置を提供する。【解決手段】携帯型デジタルマルチメータ１は、導通判定用の閾値が変更可能に設定される閾値記憶部と、閾値記憶部に閾値を設定する操作をするための閾値設定操作用スイッチ６ａ・６ｂと、検査対象体の抵抗値を測定する抵抗測定部と、抵抗値と閾値とを比較して抵抗値が閾値以下のときに導通検出信号を出力する比較部と、導通検出信号の出力を報知するブザー１５とを備えるものである。【選択図】図１
2013242251.tif 000002
【特許請求の範囲】
【請求項１】
導通判定用の閾値が変更可能に設定される閾値記憶部と、
該閾値記憶部に該閾値を設定する操作をするための閾値設定操作部と、
検査対象体の抵抗値を測定する抵抗測定部と、
該抵抗値と該閾値とを比較して該抵抗値が該閾値以下のときに導通検出信号を出力する比較部と、
該導通検出信号の出力を報知する報知部とを備えることを特徴とする導通検査装置。
【請求項２】
前記閾値記憶部が、前記閾値となりうる複数の候補値を予め記憶しており、
前記閾値設定操作部の操作により、該複数の候補値の中から一つが該閾値として選択されて該閾値記憶部に設定されることを特徴とする請求項１に記載の導通検査装置。
【請求項３】
前記閾値設定操作部の操作により、前記閾値として前記閾値記憶部に設定可能な最大値が少なくとも１ｋΩであることを特徴とする請求項１又は２に記載の導通検査装置。
【請求項４】
前記抵抗値及び前記閾値を表示する表示部を備えることを特徴とする請求項１から３のいずれかに記載の導通検査装置。
【請求項５】
前記各部が携帯型の筐体に収容されていることを特徴とする請求項１から４のいずれかに記載の導通検査装置。
【請求項６】
導通判定用の閾値が変更可能に設定される閾値記憶部と、該閾値記憶部に該閾値を設定する操作をするための閾値設定操作部と、検査対象体の抵抗値を測定する抵抗測定部と、該抵抗値と該閾値とを比較して該抵抗値が該閾値以下のときに導通検出信号を出力する比較部と、該導通検出信号の出力を報知する報知部とを備える導通検査装置を用いた導通検査方法であって、
該閾値設定操作部を操作して該閾値記憶部に該閾値に設定してから、該検査対象体の測定値を測定して、該報知部の報知の有無で導通検査することを特徴とする導通検査方法。
【発明の詳細な説明】
【技術分野】
【０００１】
本発明は、検査対象体の導通の有無を検査するための導通検査装置及び導通検査方法に関するものである。
【背景技術】
【０００２】
プリント基板のパターン配線の断線チェックや短絡チェック、プリント基板のパッドと実装部品の端子との接続チェック、ワイヤーハーネスの接続チェックなどを行うために、携帯型デジタルマルチメータなどの導通検査装置が使用されている。導通検査装置は、パターン配線等の検査対象体が導通しているときに、ブザーを鳴らしたりランプを点灯させたりして、測定者に報知するようになっている。このような導通検査装置が例えば特許文献１に記載されている。
【０００３】
特許文献１の導通検査装置（導通検査機）では、被検査回路としてゼロオーム或いはゼロオームに近い回路が接続されたときに、ＬＥＤが発光しブザーが鳴動する。
【先行技術文献】
【特許文献】
【０００４】
【特許文献１】特開２００５−１７２６３号公報
【発明の概要】
【発明が解決しようとする課題】
【０００５】
導通検査装置が導通していると判定する導通判定用の閾値（抵抗値）は、装置製造メーカや機種によって異なっていて統一されていない。そのため、導通検査装置の機種によって、同一の測定対象体であるにもかかわらず、導通しているとしてブザーが鳴ったり、導通していないとしてブザーが鳴らなかったりする場合がある。例えば、導通判定用の閾値が２０Ωの機種では、３０Ωの配線の導通検査をしてもブザーが鳴らない。一方、導通判定用の閾値が５０Ωの機種では、ブザーが鳴る。従って、機種により測定者の期待する検出精度で導通検査ができない場合がある。
【０００６】
本発明は前記の課題を解決するためになされたもので、導通検査の検出精度を所望の精度で行うことのできる導通検査装置及び導通検査方法を提供することを目的とする。
【課題を解決するための手段】
【０００７】
前記の目的を達成するためになされた、特許請求の範囲の請求項１に記載された導通検査装置は、導通判定用の閾値が変更可能に設定される閾値記憶部と、該閾値記憶部に該閾値を設定する操作をするための閾値設定操作部と、検査対象体の抵抗値を測定する抵抗測定部と、該抵抗値と該閾値とを比較して該抵抗値が該閾値以下のときに導通検出信号を出力する比較部と、該導通検出信号の出力を報知する報知部とを備えることを特徴とする。
【０００８】
請求項２に記載された導通検査装置は、請求項１に記載のものであり、前記閾値記憶部が、前記閾値となりうる複数の候補値を予め記憶しており、前記閾値設定操作部の操作により、該複数の候補値の中から一つが該閾値として選択されて該閾値記憶部に設定されることを特徴とする。
【０００９】
請求項３に記載された導通検査装置は、請求項１又は２に記載のものであり、前記閾値設定操作部の操作により、前記閾値として前記閾値記憶部に設定可能な最大値が少なくとも１ｋΩであることを特徴とする。
【００１０】
請求項４に記載された導通検査装置は、請求項１から３のいずれかに記載のものであり、前記抵抗値及び前記閾値を表示する表示部を備えることを特徴とする。
【００１１】
請求項５に記載された導通検査装置は、請求項１から４のいずれかに記載のものであり、前記各部が携帯型の筐体に収容されていることを特徴とする。
【００１２】
請求項６に記載された導通検査方法は、導通判定用の閾値が変更可能に設定される閾値記憶部と、該閾値記憶部に該閾値を設定する操作をするための閾値設定操作部と、検査対象体の抵抗値を測定する抵抗測定部と、該抵抗値と該閾値とを比較して該抵抗値が該閾値以下のときに導通検出信号を出力する比較部と、該導通検出信号の出力を報知する報知部とを備える導通検査装置を用いた導通検査方法であって、該閾値設定操作部を操作して該閾値記憶部に該閾値に設定してから、該検査対象体の測定値を測定して、該報知部の報知の有無で導通検査することを特徴とする。
【発明の効果】
【００１３】
本発明の導通検査装置によれば、導通検査用の閾値が変更設定可能なことにより、導通検査の検出精度を所望の精度で行うことができる。そのため、例えば、本発明を適用しない導通検査装置から本発明を適用する導通検査装置に機種を換えたとしても、閾値を合わせることで、導通検査の精度を合わせることができる。
【００１４】
前記閾値となりうる複数の候補値の中から閾値を選択するようにした場合、閾値の設定を簡単な操作で迅速に行うことができる。
【００１５】
閾値として設定可能な最大値が少なくとも１ｋΩである場合、導通検査だけでなく、例えば回路の抵抗値が例えば１ｋΩ以下であるか否かのような抵抗値検査を行うことができ、測定者はその検査結果を報知部の報知により知ることができる。
【００１６】
抵抗値及び閾値を表示する表示部を備える場合、測定者は測定値や設定されている閾値を視認することができ、便利である。又、携帯型の筐体を有している場合、種々の測定現場で導通検査を行えるので、非常に便利である。
【図面の簡単な説明】
【００１７】
【図１】本発明を適用する携帯型デジタルマルチメータの正面外観図である。
【図２】図１の携帯型デジタルマルチメータを、本発明を適用する導通検査装置として作動させた状態のブロック図である。
【図３】図１の携帯型デジタルマルチメータの表示部の別の表示例を示す図である。
【発明を実施するための形態】
【００１８】
以下、本発明を実施するための形態を詳細に説明するが、本発明の範囲はこれらの例に限定されるものではない。
【００１９】
図１に、本発明を適用する導通検査装置の一例である携帯型デジタルマルチメータの外観を示す。携帯型デジタルマルチメータ１は、携帯型デジタルテスターとも呼ばれるものであり、電圧値、抵抗値、電流値の測定や導通検査を行うことが可能な測定器である。携帯型デジタルマルチメータ１は、一例として、片手で持ちやすい大きさの携帯型の筐体１０を有している。この携帯型デジタルマルチメータ１は、筐体１０の正面（フロントパネル）に、測定モード切替用の回転式スイッチ２、液晶パネルや７セグメントＬＥＤパネルなどの表示部３、検査用プローブＰａ，Ｐｂを接続するためのコネクタ５ａ，５ｂ，５ｃ，５ｄ、及び操作用スイッチ６ａ，６ｂなどを備えている。又、携帯型デジタルマルチメータ１は、内部又は背面にブザー１５を備えている。
【００２０】
携帯型デジタルマルチメータ１は、回転式スイッチ２を回転させることで、交流電圧測定モード、直流電圧測定モード、抵抗値測定モード、導通検査モード、電流測定モード（μＡ測定モード，ｍＡ測定モード、１０Ａ測定モード）を、切り替えることが可能に構成されている。回転式スイッチ２は電源スイッチも兼ねている。回転式スイッチ２を位置２ａに合わせることで、携帯型デジタルマルチメータ１が導通検査モードで作動する。他の測定モードについては公知の携帯型デジタルマルチメータと同様であるので、詳細な説明は省略する。
【００２１】
コネクタ５ａは、基準端子（ＣＯＭ端子）であり、柄が黒色の検査用プローブＰａが接続される。コネクタ５ｂは、電圧測定モード、抵抗値モード、導通検査モード時に、柄が赤色の検査用プローブＰｂが接続される。コネクタ５ｃ、５ｄは、電流測定モード時に検査用プローブＰｂが接続される。
【００２２】
操作用スイッチ６ａ，６ｂは、各々押しボタン式のスイッチである。操作用スイッチ６ａ，６ｂは、本発明における閾値設定操作部に相当し、導通検査モード時には、導通判定用の閾値を設定する操作に用いられ、他の測定モード時には、測定レンジの変更操作に用いられる。
【００２３】
携帯型デジタルマルチメータ１を導通検査モードで作動させた状態のブロック図を図２に示す。
【００２４】
携帯型デジタルマルチメータ１は、筐体１０の内部に、抵抗測定部２１、閾値制御部２２、閾値記憶部２３、比較部２４、表示制御部２５、及び電池３０を備えている。
【００２５】
抵抗測定部２１は、公知の携帯型デジタルマルチメータと同様の回路である。抵抗測定部２１は、検査用プローブＰａ，Ｐｂを介して、測定用信号を検査対象体であるＤＵＴ９０に流し、ＤＵＴ９０の両端電圧値、及び測定用信号の電流値を検出する。電圧値、電流値の検出は、図示しないがアナログ／デジタル変換器によりサンプリングして、デジタル値で検出する。抵抗測定部２１は、検出した電圧値及び電流値から抵抗値を演算する。演算はＣＰＵ（中央処理演算装置）が行う。抵抗測定部２１の測定した抵抗値は、比較部２４及び表示制御部２５に出力される。
【００２６】
操作用スイッチ６ａ，６ｂは閾値制御部２２に接続されている。閾値制御部２２には、閾値記憶部２３が接続されている。閾値制御部２２は、操作用スイッチ６ａ，６ｂの操作により、閾値を変更して閾値記憶部２３に設定（記憶）させるものである。閾値記憶部２３は、導通判定用の閾値を変更可能に設定されるものである。閾値記憶部２３は、書き換え可能な不揮発性のメモリであり、一例として、フラッシュメモリやＥＥＰＲＯＭ、又はハードディスクである。閾値制御部２２は、閾値記憶部２２に設定した閾値を、比較部２４及び表示制御部２５に出力する。表示制御部２５は、表示部３に表示させる内容を制御する。
【００２７】
閾値制御部２２、表示制御部２５及び比較部２４は、一例としてプログラムで動作するＣＰＵによって、その機能が実現されている。プログラムは、ＲＯＭ，フラッシュメモリ、又はハードディスクなどのメモリ（不図示）に記憶されている。
【００２８】
比較部２４の出力はブザー１５に接続されている。ブザー１５は、本発明における報知部の例であり、一例として圧電ブザーである。携帯型デジタルマルチメータ１は、各部の動作用の電力源になる電池３０を交換可能に内蔵している。
【００２９】
次に、本発明を適用する携帯型デジタルマルチメータ１の動作について説明する。
【００３０】
図１、２に示すように、回転式スイッチ２を導通検査モードに設定すると、その情報は表示制御部２５（図２参照）に入力されて、表示制御部２５は表示部３に導通検査モードを示す測定モード表示１３（図１参照）を表示させる。
【００３１】
導通検査を開始する前に、検査対象に合わせて導通判定用の閾値を設定するが、図２に示す閾値記憶部２３に初期値や前回の検査時に設定した閾値が記憶されている場合には、閾値制御部２２は、閾値記憶部２３に設定（記憶）されている閾値を読み込んで、比較部２４、及び表示制御部２５に出力する。表示制御部２５は、表示部３に、閾値を示す閾値表示１２（図１参照）を表示させる。図１の閾値表示１２は、閾値が２０．００Ωに設定されている例を示している。表示制御部２５は、閾値表示１２であることが分かるように、一例として「ＲＥＦ」の文字を前に付して閾値を表示させる。この閾値でよい場合には、このまま検査を開始する。
【００３２】
図２に示す抵抗測定部２１は、検査用プローブＰａ，Ｐｂに接触させたＤＵＴ９０の抵抗値を測定して、比較部２４及び表示制御部２５に出力する。抵抗測定部２１は、オートレンジ又は閾値を測定可能な測定レンジで測定する。
【００３３】
表示制御部２５は、表示部３に、抵抗値を示す抵抗値表示１１（図１参照）を表示させる。図１の抵抗値表示１１は、測定した抵抗値が１５．０３Ωである例を示している。
【００３４】
比較部２４は、抵抗値と閾値とを比較して、抵抗値が閾値以下のときに導通検出信号をブザー１５に出力する。図１の表示例では、抵抗値「１５．０３Ω」が閾値「２０．００Ω」以下であるので、導通検出信号がブザー１５に出力されて、ブザー１５が鳴動する。このブザー音により、導通があることが測定者に報知される。
【００３５】
導通検査を開始する前に、又は検査中に閾値を変更設定する場合、測定者は操作用スイッチ６ａ，６ｂを操作する。上向き三角形の操作用スイッチ６ａは閾値を大きく変更するためのスイッチであり、下向き三角形の操作用スイッチ６ｂは閾値を小さく変更するためのスイッチである。閾値制御部２２は、操作用スイッチ６ａが押下（操作）されたときに、閾値を大きく変更して閾値記憶部２３に記憶させると共に、その閾値を比較部２４及び表示制御部２５に出力する。又、閾値制御部２２は、操作用スイッチ６ｂが押下されたときに、閾値を小さく変更して閾値記憶部２３に記憶させると共に、その閾値を比較部２４及び表示制御部２５に出力する。比較部２４は、変更された閾値と抵抗値とを比較する。表示制御部２５は変更された閾値を表示部３に表示させる。
【００３６】
図３に、閾値が１０．００Ωに変更されたときの閾値表示１２の表示例を示す。この表示例では、抵抗値「１５．０３Ω」が閾値「１０．００Ω」以下ではないので、比較部２４は導通検出信号を出力せず、ブザー１５は鳴動しない。ブザー音が鳴らないことで、測定者は、閾値で規定された導通性を有していないことが分かる。
【００３７】
閾値制御部２２は、操作用スイッチ６ａ，６ｂが１回押下されるたびに、例えば、０．０１Ω、０．１Ω、１Ω、５Ω、１０Ω、２０Ω、又は１００Ωのように予め決められた所定のステップ値ずつ、閾値を大きく／小さく変更して閾値記憶部２３に設定（記憶）するようにしてもよい。さらに、閾値制御部２２は、操作用スイッチ６ａ，６ｂが例えば所定期間（例えば１秒）以上長押しされたときには、操作用スイッチ６ａ，６ｂが押下されている間、所定のステップ値ずつ連続的に閾値を大きく／小さく変更して、閾値記憶部２３に設定するようにしてもよい。この場合、測定者は希望する閾値になったときに操作用スイッチ６ａ，６ｂから指を離す。
【００３８】
又は、閾値記憶部２３に下記の表１に示すような、閾値となりうる複数の候補値を示す閾値テーブルを予め記憶させておき、操作用スイッチ６ａ，６ｂの操作により、複数の候補値の中から一つが選択されて、閾値記憶部２３に閾値として設定されるようにしてもよい。
【表１】
2013242251.tif 000003
【００３９】
例えば、閾値として候補値番号４の３０Ωが既に閾値記憶部２３に設定されている場合、操作用スイッチ６ａが１回操作（押下）されると、閾値制御部２２は、候補値番号５の５０Ωを閾値として閾値記憶部２３に設定する。さらに操作用スイッチ６ａが１回操作されると、閾値制御部２２は、候補値番号６の１００Ωを閾値として閾値記憶部２３に設定する。このように、操作用スイッチ６ａが１回操作されるたびに、閾値制御部２２は、順次、候補値番号の１つ大きな閾値を閾値記憶部２３に設定する。
【００４０】
又、閾値として候補値番号４の３０Ωが既に閾値記憶部２３に設定されている場合、操作用スイッチ６ｂが１回操作されると、閾値制御部２２は、候補値番号３の２０Ωを閾値として閾値記憶部２３に設定する。さらに操作用スイッチ６ｂが１回操作されると、閾値制御部２２は、候補値番号２の１０Ωを閾値として閾値記憶部２３に設定する。このように、操作用スイッチ６ｂが１回操作されるたびに、閾値制御部２２は、順次、候補値番号の１つ小さな閾値を閾値記憶部２３に設定する。
【００４１】
閾値制御部２２は、閾値記憶部２３における閾値テーブルの記憶された領域とは別の領域に、設定された閾値の値、又はその候補値番号を記憶する。閾値テーブルと設定された閾値（候補値番号）とは、物理的に異なる別のメモリに記憶させてもよい。
【００４２】
このように複数の候補値の中から閾値を選択できるようにすると、少ない操作で迅速に閾値を設定することができるため好ましい。
【００４３】
閾値として設定できる範囲は適宜の範囲とすることができる。例えば、導通検査用に想定される、０．１Ω〜１ｋΩのような小さな抵抗値の範囲を、閾値として設定できる範囲としてもよい。
【００４４】
又、閾値として設定できる範囲を、例えば０Ω（又は抵抗測定部２１の測定可能な最小抵抗値）〜１０ＭΩ（又は抵抗測定部２１の測定可能な最大抵抗値）のように、設定可能な最大値を大きな抵抗値としてもよい。このように、閾値として設定できる最大値を大きくすることで、導通検査装置として使用できるだけでなく、抵抗値の検査装置としても使用することができるため好ましい。例えば、閾値を１０ｋΩに設定することで、回路の抵抗値が１０ｋΩ以下であるか否かをブザー１５の鳴動の有無で検査することができる。そのため、閾値として設定可能な最大値を、少なくとも１ｋΩ、１０ｋΩ、１００ｋΩ、１ＭΩ、又は１０ＭΩとすることが好ましい。最大値は大きいほどより好ましい。
【００４５】
前述の説明のように、導通検査の閾値を変更できるようにすることで、導通検査を所望の検査精度で行うことができる。そのため、例えば検査ラインで本発明を適用しない導通検査装置から本発明を適用する導通検査装置に換えたときに、最初に閾値を合わせるように設定してから測定することで、同じ検出精度で導通検査を行うことができる。したがって、導通測定装置の機種によってブザー音が鳴るか鳴らないかの境目の検査対象体を検査するような場合であっても、本発明の導通検査装置を用いて閾値を規定することで、検査誤差を無くすことができる。そのため、導通検査時にブザー音だけに頼る不安が取り除かれ、表示部に表示された抵抗値を視認する必要がなくなる。
【００４６】
なお、本発明における閾値設定操作部として、一対の操作用スイッチ６ａ，６ｂを備える例について説明したが、閾値を数値で設定可能なテンキーを備えてもよい。閾値設定操作部はタッチパネルであってもよい。又、閾値設定操作部として、一つの操作用スイッチを備えて、例えば操作用スイッチを１回押下するたびに、順次、表１の候補値番号を大きく（又は小さく）設定するようにして、候補値番号が最大値になったときの次の操作で候補値番号を１に戻すようにしてもよい。このようにすると、操作用スイッチを操作するたびに、候補値番号が１→２→３・・・６→７→１→２・・・というよう変化する。
【００４７】
報知部としてブザー１５を設けた例について説明したが、ブザー１５と共に、又はブザー１５に換えて、報知部として、表示部３に導通していることを示す絵柄を表示させるようにしてもよいし、導通しているときに点灯するランプを設けてもよい。
【００４８】
携帯型のデジタルマルチメータに本発明を適用すると、各種電気的特性を種々の測定現場に持ち運んで行えると共に導通チェックを所望の精度で行えるので、非常に便利であり特に好ましいが、携帯型でない据置型のデジタルマルチメータに本発明を適用してもよい。又、アナログ式のマルチメータに本発明を適用してもよい。又、導通検査だけが行える簡便な導通検査装置に本発明を適用してもよい。この場合、閾値設定部として例えばロータリースイッチやディップスイッチなどのような設定状態（設定位置）が目視でわかるスイッチで閾値を設定できるようにすることで、抵抗値を表示させる表示部３のない構成の導通検査装置に本発明を適用することができる。この場合、スイッチが閾値記憶部を兼ねると共に、抵抗測定部は閾値と比較できる程度の精度で測定できればよい。
【符号の説明】
【００４９】
１は携帯型デジタルマルチメータ、２は回転式スイッチ、２ａは位置、３は表示部、５ａ・５ｂ・５ｃ・５ｄはコネクタ、６ａ・６ｂは操作用スイッチ、１０は筐体、１１は抵抗値表示、１２は閾値表示、１３は測定モード表示、１５はブザー、２１は抵抗測定部、２２は閾値制御部、２３は閾値記憶部、２４は比較部、２５は表示制御部、３０は電池、９０はＤＵＴ（検査対象体）、Ｐａ・Ｐｂは検査用プローブである。
【図１】
2013242251.tif 000004
【図２】
2013242251.tif 000005
【図３】
2013242251.tif 000006